(57)【要約】【課題】  漢字を含む仮名文字を手書き入力することによってメール文章を作成、編集することができる携帯電話を提供すること。【解決手段】  長方形状の液晶表示部４を有した携帯電話１であって、前記液晶表示部４の一領域に設けたタッチペン等による押圧を検知することができる感圧式の入力領域６と、前記入力領域で検知された筆跡に基づく図形情報に基づいて、漢字を含む文字の認識を行う文字認識手段と、前記文字認識手段によって認識された文字を、前記液晶表示部に表示するとともに文章として編集するエディタ手段を有したこと。【選択図】図２
2010016726.tif 000002
【特許請求の範囲】
【請求項１】
長方形状の液晶表示部を有した携帯電話であって、
前記液晶表示部の一領域に設けたタッチペン等による押圧を検知することができる感圧式の入力領域と、
前記入力領域で検知された筆跡に基づく図形情報に基づいて、漢字を含む文字の認識を行う文字認識手段と、
前記文字認識手段によって認識された文字を、前記液晶表示部に表示するとともに文章として編集するエディタ手段を有したことを特徴とする携帯電話。
【請求項２】
前記エディタによる文章の編集画面と前記感圧式の入力領域が、横長にした状態の前記長方形状の液晶表示部において、それぞれ上下に配置されていることを特徴とする請求項１記載の携帯電話。
【請求項３】
前記タッチペンを着脱自在に収容するとともに、当該タッチペンの着脱を検出するセンサを設け、
当該センサが前記タッチペンの取り外しを検知することによって、前記文字認識手段による文字認識機能が起動するようになっていることを特徴とする請求項１または２記載の携帯電話。
【発明の詳細な説明】
【技術分野】
【０００１】
本発明は、手書き入力機能付き携帯電話に関するものである。
【背景技術】
【０００２】
従来より、手書き入力機能を設けた携帯電話が知られている（特許文献１）。特許文献１の段落００５２および図８に示された各図には、このような手書き入力機能を設けた携帯電話が掲載されている。
【特許文献１】特開２００７−２２６５４８号公報
【発明の開示】
【発明が解決しようとする課題】
【０００３】
携帯電話にはエディタ機能によって電子メールを作成し、それを送信する機能が付いている。そして、メールを作成する場合には、小さい操作ボタンを多数回操作することによって文章を作成している。しかし、小さい操作ボタンを多数回操作することは、高齢者にとってはかなりの負担であり、実質的に困難な作業となっている。
また、前述したように、タッチペン等によって書いた文字の軌跡を検知することで、文字に変換して文章を作成する手書き入力機能を有した携帯電話も存在する。しかし、市場に存在する手書き入力機能のある携帯電話は、漢字の混じった日本語の文章を作成する場合であっても、アルファベットを使用したローマ字によって手書き入力をしなければならないものである。
本発明は、上記課題に鑑み発明したものであって、漢字を含む仮名文字を手書き入力することによってメール文章を作成、編集することができる携帯電話を提供することを課題とするものである。
【課題を解決するための手段】
【０００４】
上記課題を解決するために、本願請求項１記載の携帯電話は以下の構成を有する。すなわち、
長方形状の液晶表示部を有した携帯電話であって、
前記液晶表示部の一領域に設けたタッチペン等による押圧を検知することができる感圧式の入力領域と、
前記入力領域で検知された筆跡に基づく図形情報に基づいて、漢字を含む文字の認識を行う文字認識手段と、
前記文字認識手段によって認識された文字を、前記液晶表示部に表示するとともに文章として編集するエディタ機能を有したことを特徴とする携帯電話。
【０００５】
また、上記課題を解決するために、本願請求項２記載の携帯電話は以下の構成を有する。すなわち、請求項１記載の携帯電話であって、
前記エディタによる文章の編集画面と前記感圧式の入力領域が、横長にした状態の前記長方形状の液晶表示部において、それぞれ上下に配置されていることを特徴とする。
【０００６】
また、上記課題を解決するために、本願請求項３記載の携帯電話は以下の構成を有する。すなわち、請求項１または２記載の携帯電話であって、
前記タッチペンを着脱自在に収容するとともに、当該タッチペンの着脱を検出するセンサを設け、当該センサが前記タッチペンの取り外しを検知することによって、前記文字認識手段による文字認識機能が起動するようになっていることを特徴とする。
【発明の効果】
【０００７】
本発明に係る携帯電話は、電子メールの文章を作成する際に、手書き入力によって漢字を含む日本語の文章を作成することができるものである。したがって、テンキー等を多用してメールを作成することに不慣れな高齢者であっても、簡単にメールを作成することが出来るという効果がある。
また、メール作成時には、液晶表示部を横向きにして使用するので、手書き入力が行いやすいという効果を有している。さらに、タッチペンを携帯電話から取り外すことによって、タッチペンを利用する手書き入力機能や、画面上に表示される各種ファンクションスイッチ画像（アイコン）の操作を自動的に可能とすることで、手書き入力機能を開始する際のボタン操作を簡略化することができるという効果を有している。
【発明を実施するための最良の形態】
【０００８】
以下、本発明を実施するための最良の形態について説明する。図１は、本発明に係る携帯電話１の外観図であり、図１（ａ）は携帯電話１の正面図、図１（ｂ）は図１（ａ）に示した携帯電話１の側面図、図１（ｃ）は、液晶表示部を上方に引き上げた携帯電話１の正面図、図１（ｄ）は図１（ｃ）に示した状態の携帯電話１の側面図である。
図１に示すように、携帯電話１はテンキー２を設けた筐体３と液晶表示部４を設けた筐体５が、長手方向に沿って相対的にスライドするように構成されたものである。
【０００９】
携帯電話１の液晶表示部４は、縦長の長方形状に形成されている。従来一般の用法としては、インターネットサイトの閲覧や電子メールの作成、送信については、図１に示した姿勢の通り液晶表示部４の長手方向を上下方向とする縦長の状態で使用している。これに対して本実施の形態に係る携帯電話１は、当該従来一般の使用方法の他、液晶表示部４を横向きにして、かつタッチペン８等の加圧ペンによって手書き入力を行うことでメールを作成し、送信することが出来るようになっている。
前記タッチペン８は、テンキー２を設けた筐体３に差し込んだ状態で収容することができるようになっている。取り出す際には、タッチペン８を押圧することでタッチペン８の頭部を筐体３から突出させ、当該頭部を把持して引っ張ることで取り出すようになっている。タッチペンと筐体３は、鎖状もしくは紐状のようなもので繋がっているものとする（図示せず）。また、当該タッチペン８の収容部には、タッチペン８の装着および取り外しを検知するセンサが内蔵されている（図示せず）。当該センサは、使用者の設定によって、手書き入力による文字認識機能の起動スイッチとして設定することが出来るようになっている。
【００１０】
携帯電話１の液晶表示部４には、液晶ディスプレイとともに感圧式の手書き入力センサが内蔵されている。当該手書き入力センサは、手書き入力パッドまたはタブレットボード等と同様のものであり、押圧された部位の座標を信号として出力するセンサである。
また、携帯電話１は、漢字を含む仮名文字、ひらがな、カタカナ、アルファベットに関するフォントデータを記憶している。また、前記手書き入力センサによって検知された座標に基づく図形と前記フォントデータとして記憶している図形とを対比し、検知した座標情報を元に文字として認識する処理機能を有している。
【００１１】
前記手書き入力による文字認識機能は、主としてメール作成時に使用することができる。図２は、メール作成時における携帯電話１の姿勢を表しており、メール作成時には同図に示すように液晶表示部４が横長の向きになるような状態で使用する。
手書き入力によるメール作成時には、横長状態で配置した液晶表示部４の下方に手書き入力領域６が示される。当該入力領域６内でタッチペンを使用して文字を書くと、手書き入力センサがタッチペンによって押圧された部位の座標を連続的に認識し、それを制御装置が画像イメージとして認識する。そして、当該認識した画像イメージを前記フォントの図形データと対比して、一致する確率の高い順から候補となる文字を液晶表示部４に表示する。使用者は、その中から該当する文字を選択しながら、液晶表示部４のメール作成領域７に文章を作成することができる。
また、入力領域６の上方に設けられたメール作成領域７は、文章の作成、編集を行うことができるエディタとして機能する領域であり、文字の挿入、削除、再変換等が自由に行えるようになっている。
【００１２】
また、上記メールの作成時には、メールの送信先を選択するためのアドレス帳の表示、メールの保存、消去、送信等を行わせるスイッチアイコンが液晶表示部４の適所に表示される。そして、該当するアイコンをタッチペンによってタッチすることで、前記の機能を実行することができるようになっている。また、絵文字、写真の挿入等の通常のボタン操作によって行うことができる機能を画面上に画像表示し、タッチペンによって操作するように構成してもよい。
その他、筐体に設けた通常のボタン、マウスボタン等を用いた操作に代えて、携帯電話の機能設定、各種アプリケーションの操作メニューを液晶画面上に表示しタッチペンを用いて行うように構成してもよい。
【００１３】
なお、前記手書き入力による文字認識機能およびエディタ機能は、アプリケーションプログラムとして記憶されている文字認識プログラムおよびエディタプログラムを、ハードウエアとして搭載されているＣＰＵを含む制御装置によって実行することで機能するものである。すなわち、ＣＰＵを含む制御装置が文字認識手段であり、当該制御装置および液晶表示部４がエディタ手段としてとなるものである。
【産業上の利用可能性】
【００１４】
本発明は、日本語入力の他、中国語、韓国語等の漢字を含む言語によるメール作成にも利用することができるものである。
【図面の簡単な説明】
【００１５】
【図１】本実施の形態に係る携帯電話の一例を表す説明図である。
【図２】本実施の形態に係る携帯電話の使用状態を説明するための説明図である。
【符号の説明】
【００１６】
１  携帯電話
２  テンキー
３  筐体
４  液晶表示部
５  筐体
６  入力領域
７  メール作成領域
８  タッチペン
【図１】
2010016726.tif 000003
【図２】
2010016726.tif 000004